(57)【要約】【課題】発光クッションの発光の効率がよく、感触が悪くなくて違和感を与えることなく使い心地の良い発光クッションを提供する。【解決手段】クッション体２と、このクッション体２の表面に設けられる表面部材３と、ＬＥＤ、有機ＥＬ等の発光部材４とを備える発光クッションであって、表面部材３は離面３ａには凹部４が形成され、凹部５に発光部材４が配置されるようにした。発光効率を悪くしないと共に、クッション使用時も発光部材の存在を感じないで違和感を生じることなく使用できる。【選択図】図２
2008264309.tif 000002
【特許請求の範囲】
【請求項１】
クッション体と、該クッション体の表面に設けられる表面部材と、発光部材とを備える発光クッションであって、前記表面部材は裏面に凹部が形成され、該凹部に前記発光部材が配置されてなることを特徴とする発光クッション。
【請求項２】
前記表面部材に配線用溝を前記凹部を結んで設けたことを特徴とする請求項1記載の発光クッション。
【発明の詳細な説明】
【技術分野】
【０００１】
本発明は、発光部材を設けた発光クッションに関し、より詳細には、使用時にクッションとしての感触を悪くさせないようにした発光クッションに関するものである。
【背景技術】
【０００２】
従来、室内に配設されたベッドやソファー及びそれらの近傍付近を照らすための照明装置を備える家具やＬＥＤを取り付けた枕が知られている（例えば、特許文献１参照）。
【０００３】
特許文献１の枕は、芯体（クッション体）と、この表面を被覆するカバーと、表面から光を放射する発光素子と、発光素子に電力を供給する電源端子とを備える。
【０００４】
そして、概略次の（１）、（２）のように構成している。
（１）  芯体に発光素子として複数個のＬＥＤを表面から突出しないように埋め込んでいる。発光素子を芯体に埋め込んで保持するために、芯体には発光素子保持穴が複数個設けられている。この発光素子保持穴は、発光素子をその壁面で弾性的に強着するように、発光素子の外形とほぼ同じ口径に形成される。また、発光素子保持穴の深さは、発光素子が表面から突出しないで１０〜５０ｍｍに位置するように形成される。また、個々の発光素子への給電は、発光素子保持穴の下方の配線から行っている。
（２）  ＬＥＤを配置した凹部を形成した発光体を面状に芯体表面に配置して構成していいる。この発光体の裏面側は接着面とされ、面ファスナーや両面テープ、縫合等により芯体表面の所望の位置に装着され、発光体は相互にリード線等で接続されている。この構成の枕用ＬＥＤ装置は、既存の枕に極めて容易に装着できる。
【特許文献１】実用新案登録第３０９６６８２号公報
【発明の開示】
【発明が解決しようとする課題】
【０００５】
しかしながら、上記特許文献１の（１）の構成にあっては、クッション体に発光素子保持穴を設けねばならないと共に、裏側からこの穴を通して配線しなければならず、製造作業が複雑化し、コストが上昇する。また、発光素子保持穴に深く埋める（表面から遠い）と光放射の方向が狭くなり、放射される光が減少して発光の効率が悪くなり、逆に、発光素子保持穴に浅く埋める（表面から近い）と、発光の効率はよくなるが使用時に凹凸が感じられ、違和感が生じて使い心地がよくない。
【０００６】
また、上記特許文献１の（２）の構成にあっては、カバー部材が薄く、発光体の凹部が浅いと、使用時に凹部の凹凸が感じられ、違和感が生じて使い心地がよくない。また、発光体は使用者に接触して大きく変形するので、断線のおそれもある。
【０００７】
本発明は、上記の問題点を解決するためになされたものであり、発光クッションからの発光の効率がよくて感触が悪くなく、使い心地の良い発光クッションを提供することを目的とする。
【課題を解決するための手段】
【０００８】
上記の課題を解決するために、請求項１記載の発明に係る発光クッションは、クッション体と、該クッション体の表面に設けられる表面部材と、発光部材とを備える発光クッションであって、前記表面部材は裏面に凹部が形成され、該凹部に前記発光部材が配置されてなることを特徴とする。
【０００９】
請求項２記載の発明に係る発光クッションは、請求項1の構成において、前記表面部材に配線用溝を前記凹部を結んで設けたことを特徴とする。
【発明の効果】
【００１０】
請求項１に記載された発明によれば、表面部材の裏面凹部に発光部材が設けられるので、表面に凹凸ができず、使い心地を悪くすることがない。また、表面部材を透明部材で構成すれば光の吸収がなく、光を効率よく表面部材から放射できる。表面部材を半透明の部材で構成しても光の吸収が少なく、光を有効に表面部材から放射できる。また、表面部材の裏面に凹部を形成すればよく、凹部を発光部材に合わせればよいだけであるから、簡単に安価に製造できる。
【００１１】
請求項２記載された発明によれば、請求項１の発明の効果に加え、より表面に凹凸ができず、使い心地を良くすることができる。
【００１２】
発光部材を有機ＥＬとすると、柔軟に構成することが可能で、一層クッション体への適用が容易になり、使い心地を良いクッションとすることができる。
【発明を実施するための最良の形態】
【００１３】
以下、本発明の実施の形態について、図面を参照して詳しく説明する。
（実施の形態）
図１は本発明の実施の形態における発光クッション１の概略の外形を示す一部破断した斜視図、図２はその一部を示す断面図、図３はその表面部材３の裏面側の一部を示す平面図である。
【００１４】
この実施の形態の発光クッション１は、クッション体２と、クッション体２の表面に設けられる表面部材３と、発光部材４とを備え、表面部材３のクッション体１と接する裏面には、凹部５と溝６が形成されている。
【００１５】
クッション体２は、クッションの主要部をなすもので、形状的にどのような分類のものでもよいし、材料的にどのような分類のものでもよく、要は弾力性を有しているものが使用される。例えば、材料としては、綿、空気、水等の流体、シリコンゴムやウレタン等のプラスチック、ビーズなどが使用できる。
【００１６】
表面部材３は、クッション体２の表面の一部又は全部を面状に覆い、クッション体２の装飾と保護をするとともに、自身としても弾性部材の働きもする。材料としては、ウレタンフォーム、ポリスチレンフォーム等が使用され、材質としてはウレタンが好ましい。
【００１７】
表面部材３のクッション体２に接する裏面側には、凹部５と溝６が設けられている。凹部５の形状は特に限定されず、その断面形状は半円、矩形、三角や光の放射を考慮した形状とすることもできる。また、その平面形状も円、矩形、三角や光の放射を考慮した形状とすることができる。凹部５の配列は格子状、千鳥状等どのような配置であってもよい。また、溝６は凹部５を連結するように、その交差部に凹部５が配列されるように形成されている。
【００１８】
発光部材４は、光を放射する部材で、ＬＥＤ、有機ＥＬが小形で好ましく、可撓性を有する有機ＥＬが、違和感を与えることを少なくできることから特に好ましい。また、発光部材４を結束部材７により、結束してもよい。発光部材４を結束すると、ずれにくくなり、断線のおそれがなくなると共に、位置決めが容易で発光部材を凹部５に容易に配置することができる。結束部材７の結束形状としては、図３に示すような溝６に沿うような直線状でもよいし、図示していないが網目状でもよい。結束部材７を発光部材４への電力供給配線で構成してもよい。
【００１９】
発光部材４に電力を供給する電源部は、クッション体２の内部又は底面に設けられる。電源部がクッション体２で覆われると、クッションにより違和感を与えることを少なくできる。電源としては、電池でもよいし、外部から供給を受けるようなものでもよい。外部から電源供給を受ける場合は、外部への電源ケーブルはクッション体２底部から取り出すことが、使用時の感触に与える影響を少なくできるので好ましい。
【００２０】
また、クッション体２、表面部材３、発光部材４を保護するため、全体又は一部を覆うカバーを備えてもよい。このカバーは、光の効率に影響を少なくするため、光透過率の高い明色系の布等が好ましい。
【００２１】
上記のように構成してなる発光クッション１によれば、発光部材４からの光は光を比較的良く通すように構成した表面部材３を通して放射されるので、発光部材４の発光を効率良く利用できる。また、発光部材４は弾性体からなる表面部材３で覆われた状態であるので、クッションとして違和感がなく、使い心地良く使用できる。
【００２２】
なお、本発明は上記実施の形態に限られないことは勿論である。例えば、上記実施の形態では、表面部材３に凹部５と溝６を形成する例で説明したが、溝６はなくても良い。例えば、図４に示すように、キルト地等のように凹凸がある部材や柱状の部材や球状の部材を平面状に連結して表面部材３に用いて、その裏面側の凹部５に発光部材４を配置してもよい。
【図面の簡単な説明】
【００２３】
【図１】本発明の実施の形態における発光クッションの概略構成の一部を破断して示す斜視図である。
【図２】その一部を示す断面図である。
【図３】その表面部材の裏面側の一部を示す平面図である。
【図４】本発明の発光クッションの他の例の概略構成の一部を示す斜視図である。
【符号の説明】
【００２４】
１  発光クッション
２  クッション体
３  表面部材
４  発光部材
５  凹部
６  溝
７  結束部材
【図１】
2008264309.tif 000003
【図２】
2008264309.tif 000004
【図３】
2008264309.tif 000005
【図４】
2008264309.tif 000006